(57)【要約】  本開示の実施例は、下り制御チャネル検出方法、端末及びネットワーク側機器を提供する。該方法において、少なくとも下り制御チャネルの検出情報を指示するための省電力信号の検出を端末が行うことと、前記省電力信号が検出されると、前記端末が前記検出情報に基づいて前記下り制御チャネルを検出することとを含む。【選択図】  図２
2021526761.tif 000002
【特許請求の範囲】
【請求項１】
下り制御チャネル検出方法であって、
少なくとも下り制御チャネルの検出情報を指示するための省電力信号の検出を端末が行うことと、
前記省電力信号が検出されると、前記端末が前記検出情報に基づいて前記下り制御チャネルを検出することとを含む、下り制御チャネル検出方法。
【請求項２】
前記省電力信号は、データ到着も指示する、請求項１に記載の方法。
【請求項３】
前記検出情報は、集約レベルＡＬ及び／又は候補ｃａｎｄｉｄａｔｅ位置の少なくとも１つを含む、請求項１に記載の方法。
【請求項４】
前記省電力信号は、第３シーケンスの関数である目標シーケンス、第１シーケンスの入力パラメータ及び第２シーケンスのサイクリックシフト値の少なくとも１つを含む、請求項１〜３のいずれか１項に記載の方法。
【請求項５】
前記第１シーケンスは、疑似雑音ＰＮシーケンス、直交シーケンス、又は定包絡ゼロ自己相関ＣＡＺＡＣシーケンスを含み、及び／又は、前記第２シーケンスは、直交シーケンス、ＣＡＺＡＣシーケンス又はＰＮシーケンスを含み、及び／又は、前記第３シーケンスは、前記下り制御チャネルの復調基準信号ＤＭＲＳシーケンスを含む、請求項４に記載の方法。
【請求項６】
前記検出情報は、ＡＬを含み、前記省電力信号は、前記ＡＬ及びデータ到着を指示するための前記目標シーケンスを含み、
前記端末が省電力信号の検出を行うことは、
前記端末が、前記目標シーケンスに対して、複数のＡＬのＤＭＲＳに対応するシーケンスを用いて相関ピーク検出を行い、前記複数のＡＬのうち、所定の閾値よりも大きい最大相関ピークに対応するＡＬを、前記目標シーケンスによって指示されるＡＬとすることを含む、請求項４に記載の方法。
【請求項７】
前記検出情報は、ＡＬを含み、前記省電力信号は、前記ＡＬを指示するための前記第２シーケンスのサイクリックシフト値を含み、又は、前記省電力信号は、前記第１シーケンスを含み、ここで、前記第１シーケンスの初期値は、前記端末の端末識別子であり、前記第１シーケンスの入力パラメータは、前記検出情報を含む、請求項４に記載の方法。
【請求項８】
前記省電力信号は、ディスカバリ信号、ディスカバリ信号の信号サブセット又はオンデマンド基準信号Ｏｎ−ｄｅｍａｎｄ  ＲＳを含む、請求項１〜３のいずれか１項に記載の方法。
【請求項９】
前記省電力信号は、少なくとも前記検出情報を指示するための第２信号サブセットと、前記第２信号サブセットの前の第１信号サブセットとを少なくとも含み、
前記の前記省電力信号が検出されると、前記端末が前記検出情報に基づいて前記下り制御チャネルを検出することは、
前記端末が前記第１信号サブセットを受信すると、前記端末が電力ランプアップを開始することと、
前記端末が前記第２信号サブセットを受信すると、前記端末が前記検出情報に基づいて前記下り制御チャネルを検出することとを含む、請求項１〜３のいずれか１項に記載の方法。
【請求項１０】
前記省電力信号は、少なくとも１つの信号サブセットを含み、ここで、前記検出情報を指示するための信号サブセットは、前記下り制御チャネルと周波数分割多重化され、又は、前記検出情報を指示するための信号サブセットは、前記下り制御チャネルよりも先に伝送される、請求項１〜３のいずれか１項に記載の方法。
【請求項１１】
下り制御チャネル検出方法であって、
少なくとも下り制御チャネルの検出情報を指示するための省電力信号をネットワーク側機器から送信することを含み、
よって、端末が前記省電力信号を検出すると、前記検出情報に基づいて前記下り制御チャネルを検出する、下り制御チャネル検出方法。
【請求項１２】
前記省電力信号は、データ到着も指示する、請求項１１に記載の方法。
【請求項１３】
前記検出情報は、ＡＬ及び／又はｃａｎｄｉｄａｔｅ位置の少なくとも１つを含む、請求項１１に記載の方法。
【請求項１４】
前記省電力信号は、第３シーケンスの関数である目標シーケンス、第１シーケンスの入力パラメータ及び第２シーケンスのサイクリックシフト値の少なくとも１つを含む、請求項１１〜１３のいずれか１項に記載の方法。
【請求項１５】
前記第１シーケンスは、ＰＮシーケンス、直交シーケンス又はＣＡＺＡＣシーケンスを含み、及び／又は、前記第２シーケンスは、直交シーケンス、ＣＡＺＡＣシーケンス又はＰＮシーケンスを含み、及び／又は、前記第３シーケンスは、前記下り制御チャネルの復調基準信号ＤＭＲＳシーケンスを含む、請求項１４に記載の方法。
【請求項１６】
前記検出情報は、ＡＬを含み、前記省電力信号は、前記ＡＬ及びデータ到着を指示するための前記目標シーケンスを含み、又は、前記出情報は、ＡＬを含み、前記省電力信号は、前記ＡＬを指示するための前記第２シーケンスのサイクリックシフト値を含み、又は、前記省電力信号は、前記第１シーケンスを含み、ここで、前記第１シーケンスの初期値は、前記端末の端末識別子であり、前記第１シーケンスの入力パラメータは、前記検出情報を含む、請求項１４に記載の方法。
【請求項１７】
前記省電力信号は、ディスカバリ信号、ディスカバリ信号の信号サブセット又はＯｎ−ｄｅｍａｎｄ  ＲＳを含む、請求項１１〜１３のいずれか１項に記載の方法。
【請求項１８】
前記省電力信号は、少なくとも前記検出情報を指示するための第２信号サブセットと、前記第２信号サブセットの前の第１信号サブセットとを少なくとも含む、請求項１１〜１３のいずれか１項に記載の方法。
【請求項１９】
前記省電力信号は、少なくとも１つの信号サブセットを含み、ここで、前記検出情報を指示するための信号サブセットは、前記下り制御チャネルと周波数分割多重化され、又は、前記検出情報を指示するための信号サブセットは、前記下り制御チャネルよりも先に伝送される、請求項１１〜１３のいずれか１項に記載の方法。
【請求項２０】
少なくとも下り制御チャネルの検出情報を指示するための省電力信号の検出を行う第１検出モジュールと、
前記省電力信号が検出されると、前記検出情報に基づいて前記下り制御チャネルを検出する第２検出モジュールとを含む、端末。
【請求項２１】
前記検出情報は、集約レベルＡＬ及び／又は候補ｃａｎｄｉｄａｔｅ位置の少なくとも１つを含む、請求項２０に記載の端末。
【請求項２２】
前記省電力信号は、第３シーケンスの関数である目標シーケンス、第１シーケンスの入力パラメータ及び第２シーケンスのサイクリックシフト値の少なくとも１つを含む、請求項２０又は２１に記載の端末。
【請求項２３】
前記省電力信号は、ディスカバリ信号、ディスカバリ信号の信号サブセット又はオンデマンド基準信号Ｏｎ−ｄｅｍａｎｄ  ＲＳを含む、請求項２０又は２１に記載の端末。
【請求項２４】
少なくとも下り制御チャネルの検出情報を指示するための省電力信号を送信する送信モジュールを含み、
よって、端末が前記省電力信号を検出すると、前記検出情報に基づいて前記下り制御チャネルを検出する、ネットワーク側機器。
【請求項２５】
前記検出情報は、ＡＬ及び／又はｃａｎｄｉｄａｔｅ位置の少なくとも１つを含む、請求項２４に記載のネットワーク側機器。
【請求項２６】
前記省電力信号は、第３シーケンスの関数である目標シーケンス、第１シーケンスの入力パラメータ及び第２シーケンスのサイクリックシフト値の少なくとも１つを含む、請求項２４又は２５に記載のネットワーク側機器。
【請求項２７】
前記省電力信号は、ディスカバリ信号、ディスカバリ信号の信号サブセット又はＯｎ−ｄｅｍａｎｄ  ＲＳを含む、請求項２４又は２５に記載のネットワーク側機器。
【請求項２８】
トランシーバと、メモリと、プロセッサと、前記メモリに格納されて前記プロセッサで動作可能なプログラムを含む端末であって、
前記トランシーバは、少なくとも下り制御チャネルの検出情報を指示するための省電力信号の検出を行い、前記省電力信号を検出すると、前記検出情報に基づいて前記下り制御チャネルを検出する、端末。
【請求項２９】
前記省電力信号は、データ到着も指示する、請求項２８に記載の端末。
【請求項３０】
前記検出情報は、集約レベルＡＬ及び／又は候補ｃａｎｄｉｄａｔｅ位置の少なくとも１つを含む、請求項２８に記載の端末。
【請求項３１】
前記省電力信号は、第３シーケンスの関数である目標シーケンス、第１シーケンスの入力パラメータ及び第２シーケンスのサイクリックシフト値の少なくとも１つを含む、請求項２８〜３０のいずれか１項に記載の端末。
【請求項３２】
前記第１シーケンスは、疑似雑音ＰＮシーケンス、直交シーケンス又は定包絡ゼロ自己相関ＣＡＺＡＣシーケンスを含み、及び／又は、前記第２シーケンスは、直交シーケンス、ＣＡＺＡＣシーケンス又はＰＮシーケンスを含み、及び／又は、前記第３シーケンスは、前記下り制御チャネルの復調基準信号ＤＭＲＳシーケンスを含む、請求項３１に記載の端末。
【請求項３３】
前記検出情報は、ＡＬを含み、前記省電力信号は、前記ＡＬ及びデータ到着を指示するための前記目標シーケンスを含み、
前記の省電力信号の検出を行うことは、
前記目標シーケンスに対して、複数のＡＬのＤＭＲＳに対応するシーケンスを用いて相関ピーク検出を行い、前記複数のＡＬのうち、所定の閾値よりも大きい最大相関ピークに対応するＡＬを、前記目標シーケンスによって指示されるＡＬとすることを含む、請求項３１に記載の端末。
【請求項３４】
前記検出情報は、ＡＬを含み、前記省電力信号は、前記ＡＬを指示するための前記第２シーケンスのサイクリックシフト値を含み、又は、前記省電力信号は、前記第１シーケンスを含み、ここで、前記第１シーケンスの初期値は、前記端末の端末識別子であり、前記第１シーケンスの入力パラメータは、前記検出情報を含む、請求項３１に記載の端末。
【請求項３５】
前記省電力信号は、ディスカバリ信号、ディスカバリ信号の信号サブセット又はオンデマンド基準信号Ｏｎ−ｄｅｍａｎｄ  ＲＳを含む、請求項２８〜３０のいずれか１項に記載の端末。
【請求項３６】
前記省電力信号は、少なくとも前記検出情報を指示するための第２信号サブセットと、前記第２信号サブセットの前の第１信号サブセットとを少なくとも含み、
前記の前記省電力信号を検出すると、前記検出情報に基づいて前記下り制御チャネルを検出することは、
前記端末が前記第１信号サブセットを受信すると、電力ランプアップを開始することと、
前記端末が前記第２信号サブセットを受信すると、前記検出情報に基づいて前記下り制御チャネルを検出することとを含む、請求項２８〜３０のいずれか１項に記載の端末。
【請求項３７】
前記省電力信号は、少なくとも１つの信号サブセットを含み、ここで、前記検出情報を指示するための信号サブセットは、前記下り制御チャネルと周波数分割多重化され、又は、前記検出情報を指示するための信号サブセットは、前記下り制御チャネルよりも先に伝送される、請求項２８〜３０のいずれか１項に記載の端末。
【請求項３８】
トランシーバと、メモリと、プロセッサと、前記メモリに格納されて前記プロセッサで動作可能なプログラムを含むネットワーク側機器であって、
前記トランシーバは、少なくとも下り制御チャネルの検出情報を指示するための省電力信号を送信し、
よって、端末が前記省電力信号を検出すると、前記検出情報に基づいて前記下り制御チャネルを検出する、ネットワーク側機器。
【請求項３９】
前記省電力信号は、データ到着も指示する、請求項３８に記載のネットワーク側機器。
【請求項４０】
前記検出情報は、ＡＬ及び／又はｃａｎｄｉｄａｔｅ位置の少なくとも１つを含む、請求項３８に記載のネットワーク側機器。
【請求項４１】
前記省電力信号は、第３シーケンスの関数である目標シーケンス、第１シーケンスの入力パラメータ及び第２シーケンスのサイクリックシフト値の少なくとも１つを含む、請求項３８〜４０のいずれか１項に記載のネットワーク側機器。
【請求項４２】
前記第１シーケンスは、ＰＮシーケンス、直交シーケンス又はＣＡＺＡＣシーケンスを含み、及び／又は、前記第２シーケンスは、直交シーケンス、ＣＡＺＡＣシーケンス又はＰＮシーケンスを含み、及び／又は、前記第３シーケンスは、前記下り制御チャネルの復調基準信号ＤＭＲＳシーケンスを含む、請求項４１に記載のネットワーク側機器。
【請求項４３】
前記検出情報は、ＡＬを含み、前記省電力信号は、前記ＡＬ及びデータ到着を指示するための前記目標シーケンスを含み、又は、前記出情報は、ＡＬを含み、前記省電力信号は、前記ＡＬを指示するための前記第２シーケンスのサイクリックシフト値を含み、又は、前記省電力信号は、前記第１シーケンスを含み、ここで、前記第１シーケンスの初期値は、前記端末の端末識別子であり、前記第１シーケンスの入力パラメータは、前記検出情報を含む、請求項４１に記載のネットワーク側機器。
【請求項４４】
前記省電力信号は、ディスカバリ信号、ディスカバリ信号の信号サブセット又はＯｎ−ｄｅｍａｎｄ  ＲＳを含む、請求項３８〜４０のいずれか１項に記載のネットワーク側機器。
【請求項４５】
前記省電力信号は、少なくとも前記検出情報を指示するための第２信号サブセットと、前記第２信号サブセットの前の第１信号サブセットとを少なくとも含む、請求項３８〜４０のいずれか１項に記載のネットワーク側機器。
【請求項４６】
前記省電力信号は、少なくとも１つの信号サブセットを含み、ここで、前記検出情報を指示するための信号サブセットは、前記下り制御チャネルと周波数分割多重化され、又は、前記検出情報を指示するための信号サブセットは、前記下り制御チャネルよりも先に伝送される、請求項３８〜４０のいずれか１項に記載のネットワーク側機器。
【請求項４７】
コンピュータプログラムが格納されているコンピュータ読み取り可能な記憶媒体であって、
該プログラムがプロセッサによって実行されると、請求項１〜１０のいずれか１項に記載の下り制御チャネル検出方法のステップが実現され、又は、該プログラムがプロセッサによって実行されると、請求項１１〜１９のいずれか１項に記載の下り制御チャネル検出方法のステップが実現される、コンピュータ読み取り可能な記憶媒体。
【発明の詳細な説明】
【技術分野】
【０００１】
＜関連出願の相互参照＞
本願は、２０１８年６月１１日に中国特許庁に提出された中国特許出願２０１８１０５９６６３８．４の優先権を主張し、その全ての内容が援用によりここに取り込まれる。
本開示は、通信技術分野に係り、特に下り制御チャネル検出方法、端末及びネットワーク側機器に係る。
【背景技術】
【０００２】
５Ｇ  ＮＲ（Ｎｅｗ  Ｒａｄｉｏ）システムにおいて、端末の動作状態は、アイドル状態（ＲＲＣ＿ＩＤＬＥ）、非活性状態（ＲＲＣ＿Ｉｎａｃｔｉｖｅ）及び接続状態（ＲＲＣ＿Ｃｏｎｎｅｃｔｅｄ）を含む。しかしながら、いずれの状態で端末による下り制御チャネルの検出が必要であるが、従来技術の通信システムにおいて、下り制御チャネルを検出する検出位置が予め設定されており、且つ、予め多数の検出位置が設定されており、端末は、検出位置毎に検出を行う必要がある。例えば、不連続受信ＤＲＸ（Ｄｉｓｃｏｎｔｉｎｕｏｕｓ  Ｒｅｃｅｐｔｉｏｎ）シナリオにおいて、端末は、アクティブ時間（Ｏｎ  ｄｕｒａｔｉｏｎ）周期毎に下り制御チャネルを検出する必要がある。端末が検出位置毎に下り制御チャネルを検出する必要があるため、端末の消費電力が比較的高い。
【発明の概要】
【発明が解決しようとする課題】
【０００３】
本開示の実施例は、端末の消費電力が比較的高いという問題を解決するために、下り制御チャネル検出方法、端末及びネットワーク側機器を提供する。
【課題を解決するための手段】
【０００４】
上記目的を達成するために、本開示の実施例は、下り制御チャネル検出方法を提供し、少なくとも下り制御チャネルの検出情報を指示するための省電力信号の検出を端末が行うことと、前記省電力信号が検出されると、前記端末が前記検出情報に基づいて前記下り制御チャネルを検出することとを含む。
【０００５】
任意選択で、前記省電力信号は、データ到着も指示する。
【０００６】
任意選択で、前記検出情報は、集約レベルＡＬ（Ａｇｇｒｅｇａｔｉｏｎ  Ｌｅｖｅｌ）及び／又は候補（ｃａｎｄｉｄａｔｅ）位置の少なくとも１つを含む。
【０００７】
任意選択で、前記省電力信号は、第３シーケンスの関数である目標シーケンス、第１シーケンスの入力パラメータ及び第２シーケンスのサイクリックシフト値の少なくとも１つを含む。
【０００８】
任意選択で、前記第１シーケンスは、疑似雑音ＰＮ（Ｐｓｅｕｄｏ−Ｎｏｉｓｅ）シーケンス、直交シーケンス、又は定包絡ゼロ自己相関ＣＡＺＡＣ（Ｃｏｎｓｔａｎｔ  Ａｍｐｌｉｔｕｄｅ  Ｚｅｒｏ  Ａｕｔｏ  Ｃｏｒｒｅｌａｔｉｏｎ）シーケンスを含み、及び／又は、前記第２シーケンスは、直交シーケンス、ＣＡＺＡＣシーケンス又はＰＮシーケンスを含み、及び／又は、前記第３シーケンスは、前記下り制御チャネルの復調基準信号ＤＭＲＳ（Ｄｅｍｏｄｕｌａｔｉｏｎ  Ｒｅｆｅｒｅｎｃｅ  Ｓｉｇｎａｌ）シーケンスを含む。
【０００９】
任意選択で、前記検出情報は、ＡＬを含み、前記省電力信号は、前記ＡＬ及びデータ到着を指示するための前記目標シーケンスを含み、前記端末が省電力信号の検出を行うことは、前記端末が、前記目標シーケンスに対して、複数のＡＬのＤＭＲＳに対応するシーケンスを用いて相関ピーク検出を行い、前記複数のＡＬのうち、所定の閾値よりも大きい最大相関ピークに対応するＡＬを、前記目標シーケンスによって指示されるＡＬとすることを含む。
【００１０】
任意選択で、前記検出情報は、ＡＬを含み、前記省電力信号は、前記ＡＬを指示するための前記第２シーケンスのサイクリックシフト値を含み、又は、前記省電力信号は、前記第１シーケンスを含み、ここで、前記第１シーケンスの初期値は、前記端末の端末識別子であり、前記第１シーケンスの入力パラメータは、前記検出情報を含む。
【００１１】
任意選択で、前記省電力信号は、ディスカバリ信号、ディスカバリ信号の信号サブセット又はオンデマンド基準信号Ｏｎ−ｄｅｍａｎｄ  ＲＳ（Ｏｎ−ｄｅｍａｎｄ  Ｒｅｆｅｒｅｎｃｅ  Ｓｉｇｎａｌ）を含む。
【００１２】
任意選択で、前記省電力信号は、少なくとも前記検出情報を指示するための第２信号サブセットと、前記第２信号サブセットの前の第１信号サブセットとを少なくとも含み、前記の前記省電力信号が検出されると、前記端末が前記検出情報に基づいて前記下り制御チャネルを検出することは、前記端末が前記第１信号サブセットを受信すると、前記端末が電力ランプアップを開始することと、前記端末が前記第２信号サブセットを受信すると、前記端末が前記検出情報に基づいて前記下り制御チャネルを検出することとを含む。
【００１３】
任意選択で、前記省電力信号は、少なくとも１つの信号サブセットを含み、ここで、前記検出情報を指示するための信号サブセットは、前記下り制御チャネルと周波数分割多重化され、又は、前記検出情報を指示するための信号サブセットは、前記下り制御チャネルよりも先に伝送される。
【００１４】
本開示の実施例は、下り制御チャネル検出方法を更に提供し、少なくとも下り制御チャネルの検出情報を指示するための省電力信号をネットワーク側機器から送信することを含み、よって、端末が前記省電力信号を検出すると、前記検出情報に基づいて前記下り制御チャネルを検出する。
【００１５】
任意選択で、前記省電力信号は、データ到着も指示する。
【００１６】
任意選択で、前記検出情報は、ＡＬ及び／又はｃａｎｄｉｄａｔｅ位置の少なくとも１つを含む。
【００１７】
任意選択で、前記省電力信号は、第３シーケンスの関数である目標シーケンス、第１シーケンスの入力パラメータ及び第２シーケンスのサイクリックシフト値の少なくとも１つを含む。
【００１８】
任意選択で、前記第１シーケンスは、ＰＮシーケンス、直交シーケンス又はＣＡＺＡＣシーケンスを含み、及び／又は、前記第２シーケンスは、直交シーケンス、ＣＡＺＡＣシーケンス又はＰＮシーケンスを含み、及び／又は、前記第３シーケンスは、前記下り制御チャネルの復調基準信号ＤＭＲＳシーケンスを含む。
【００１９】
任意選択で、前記検出情報は、ＡＬを含み、前記省電力信号は、前記ＡＬ及びデータ到着を指示するための前記目標シーケンスを含み、又は、前記出情報は、ＡＬを含み、前記省電力信号は、前記ＡＬを指示するための前記第２シーケンスのサイクリックシフト値を含み、又は、前記省電力信号は、前記第１シーケンスを含み、ここで、前記第１シーケンスの初期値は、前記端末の端末識別子であり、前記第１シーケンスの入力パラメータは、前記検出情報を含む。
【００２０】
任意選択で、前記省電力信号は、ディスカバリ信号、ディスカバリ信号の信号サブセット又はＯｎ−ｄｅｍａｎｄ  ＲＳを含む。
【００２１】
任意選択で、前記省電力信号は、少なくとも前記検出情報を指示するための第２信号サブセットと、前記第２信号サブセットの前の第１信号サブセットとを少なくとも含む。
【００２２】
任意選択で、前記省電力信号は、少なくとも１つの信号サブセットを含み、ここで、前記検出情報を指示するための信号サブセットは、前記下り制御チャネルと周波数分割多重化され、又は、前記検出情報を指示するための信号サブセットは、前記下り制御チャネルよりも先に伝送される。
【００２３】
本開示の実施例は、端末を更に提供し、少なくとも下り制御チャネルの検出情報を指示するための省電力信号の検出を行う第１検出モジュールと、前記省電力信号が検出されると、前記検出情報に基づいて前記下り制御チャネルを検出する第２検出モジュールとを含む。
【００２４】
任意選択で、前記検出情報は、集約レベルＡＬ及び／又は候補ｃａｎｄｉｄａｔｅ位置の少なくとも１つを含む。
【００２５】
任意選択で、前記省電力信号は、第３シーケンスの関数である目標シーケンス、第１シーケンスの入力パラメータ及び第２シーケンスのサイクリックシフト値の少なくとも１つを含む。
【００２６】
任意選択で、前記省電力信号は、ディスカバリ信号、ディスカバリ信号の信号サブセット又はオンデマンド基準信号Ｏｎ−ｄｅｍａｎｄ  ＲＳを含む。
【００２７】
本開示の実施例は、ネットワーク側機器を更に提供し、少なくとも下り制御チャネルの検出情報を指示するための省電力信号を送信する送信モジュールを含み、よって、端末が前記省電力信号を検出すると、前記検出情報に基づいて前記下り制御チャネルを検出する。
【００２８】
任意選択で、前記検出情報は、ＡＬ及び／又はｃａｎｄｉｄａｔｅ位置の少なくとも１つを含む。
【００２９】
任意選択で、前記省電力信号は、第３シーケンスの関数である目標シーケンス、第１シーケンスの入力パラメータ及び第２シーケンスのサイクリックシフト値の少なくとも１つを含む。
【００３０】
任意選択で、前記省電力信号は、ディスカバリ信号、ディスカバリ信号の信号サブセット又はＯｎ−ｄｅｍａｎｄ  ＲＳを含む。
【００３１】
本開示の実施例は、トランシーバと、メモリと、プロセッサと、前記メモリに格納されて前記プロセッサで動作可能なプログラムを含む端末を更に提供し、前記トランシーバは、少なくとも下り制御チャネルの検出情報を指示するための省電力信号の検出を行い、前記省電力信号が検出されると、前記検出情報に基づいて前記下り制御チャネルを検出する。
【００３２】
任意選択で、前記省電力信号は、データ到着も指示する。
【００３３】
任意選択で、前記検出情報は、集約レベルＡＬ及び／又は候補ｃａｎｄｉｄａｔｅ位置の少なくとも１つを含む。
【００３４】
任意選択で、前記省電力信号は、第３シーケンスの関数である目標シーケンス、第１シーケンスの入力パラメータ及び第２シーケンスのサイクリックシフト値の少なくとも１つを含む。
【００３５】
任意選択で、前記第１シーケンスは、疑似雑音ＰＮシーケンス、直交シーケンス又は定包絡ゼロ自己相関ＣＡＺＡＣシーケンスを含み、及び／又は、前記第２シーケンスは、直交シーケンス、ＣＡＺＡＣシーケンス又はＰＮシーケンスを含み、及び／又は、前記第３シーケンスは、前記下り制御チャネルの復調基準信号ＤＭＲＳシーケンスを含む。
【００３６】
任意選択で、前記検出情報は、ＡＬを含み、前記省電力信号は、前記ＡＬ及びデータ到着を指示するための前記目標シーケンスを含み、前記の省電力信号の検出を行うことは、前記目標シーケンスに対して、複数のＡＬのＤＭＲＳに対応するシーケンスを用いて相関ピーク検出を行い、前記複数のＡＬのうち、所定の閾値よりも大きい最大相関ピークに対応するＡＬを、前記目標シーケンスによって指示されるＡＬとすることを含む。
【００３７】
任意選択で、前記検出情報は、ＡＬを含み、前記省電力信号は、前記ＡＬを指示するための前記第２シーケンスのサイクリックシフト値を含み、又は、前記省電力信号は、前記第１シーケンスを含み、ここで、前記第１シーケンスの初期値は、前記端末の端末識別子であり、前記第１シーケンスの入力パラメータは、前記検出情報を含む。
【００３８】
任意選択で、前記省電力信号は、ディスカバリ信号、ディスカバリ信号の信号サブセット又はオンデマンド基準信号Ｏｎ−ｄｅｍａｎｄ  ＲＳを含む。
【００３９】
任意選択で、前記省電力信号は、少なくとも前記検出情報を指示するための第２信号サブセットと、前記第２信号サブセットの前の第１信号サブセットとを少なくとも含み、前記の前記省電力信号が検出されると、前記検出情報に基づいて前記下り制御チャネルを検出することは、前記端末が前記第１信号サブセットを受信すると、電力ランプアップを開始することと、前記端末が前記第２信号サブセットを受信すると、前記検出情報に基づいて前記下り制御チャネルを検出することとを含む。
【００４０】
任意選択で、前記省電力信号は、少なくとも１つの信号サブセットを含み、ここで、前記検出情報を指示するための信号サブセットは、前記下り制御チャネルと周波数分割多重化され、又は、前記検出情報を指示するための信号サブセットは、前記下り制御チャネルよりも先に伝送される。
【００４１】
本開示の実施例は、トランシーバと、メモリと、プロセッサと、前記メモリに格納されて前記プロセッサで動作可能なプログラムを含むネットワーク側機器を更に提供し、前記トランシーバは、少なくとも下り制御チャネルの検出情報を指示するための省電力信号を送信し、よって、端末が前記省電力信号を検出すると、前記検出情報に基づいて前記下り制御チャネルを検出する。
【００４２】
任意選択で、前記省電力信号は、データ到着も指示する。
【００４３】
任意選択で、前記検出情報は、ＡＬ及び／又はｃａｎｄｉｄａｔｅ位置の少なくとも１つを含む。
【００４４】
任意選択で、前記省電力信号は、第３シーケンスの関数である目標シーケンス、第１シーケンスの入力パラメータ及び第２シーケンスのサイクリックシフト値の少なくとも１つを含む。
【００４５】
任意選択で、前記第１シーケンスは、ＰＮシーケンス、直交シーケンス又はＣＡＺＡＣシーケンスを含み、及び／又は、前記第２シーケンスは、直交シーケンス、ＣＡＺＡＣシーケンス又はＰＮシーケンスを含み、及び／又は、前記第３シーケンスは、前記下り制御チャネルの復調基準信号ＤＭＲＳシーケンスを含む。
【００４６】
任意選択で、前記検出情報は、ＡＬを含み、前記省電力信号は、前記ＡＬ及びデータ到着を指示するための前記目標シーケンスを含み、又は、前記検出情報は、ＡＬを含み、前記省電力信号は、前記ＡＬを指示するための前記第２シーケンスのサイクリックシフト値を含み、又は、前記省電力信号は、前記第１シーケンスを含み、ここで、前記第１シーケンスの初期値は、前記端末の端末識別子であり、前記第１シーケンスの入力パラメータは、前記検出情報を含む。
【００４７】
任意選択で、前記省電力信号は、ディスカバリ信号、ディスカバリ信号の信号サブセット又はＯｎ−ｄｅｍａｎｄ  ＲＳを含む。
【００４８】
任意選択で、前記省電力信号は、少なくとも前記検出情報を指示するための第２信号サブセットと、前記第２信号サブセットの前の第１信号サブセットとを少なくとも含む。
【００４９】
任意選択で、前記省電力信号は、少なくとも１つの信号サブセットを含み、ここで、前記検出情報を指示するための信号サブセットは、前記下り制御チャネルと周波数分割多重化され、又は、前記検出情報を指示するための信号サブセットは、前記下り制御チャネルよりも先に伝送される。
【００５０】
本開示の実施例は、コンピュータプログラムが格納されているコンピュータ読み取り可能な記憶媒体を更に提供し、該プログラムがプロセッサによって実行されると、本開示の実施例に係る端末側の下り制御チャネル検出方法のステップが実現され、又は、該プログラムがプロセッサによって実行されると、本開示の実施例に係るネットワーク側機器側の下り制御チャネル検出方法のステップが実現される。
【発明の効果】
【００５１】
本開示の実施例において、端末は、少なくとも下り制御チャネルの検出情報を指示するための省電力信号の検出を行い、前記省電力信号を検出すると、前記検出情報に基づいて前記下り制御チャネルを検出する。これによって、上記省電力信号で下り制御チャネルの検出をトリガすることを実現することができ、且つ省電力信号によって指示される検出情報に基づいて直接検出を行うことができるため、端末の消費電力を低減することができる。
【図面の簡単な説明】
【００５２】
【図１】図１は、本開示の実施例の応用可能なネットワーク構造図である。
【図２】図２は、本開示の実施例に係る下り制御チャネル検出方法のフローチャートである。
【図３】図３は、本開示の実施例に係るＷＵＳの概略図である。
【図４】図４は、本開示の実施例に係る別のＷＵＳの概略図である。
【図５】図５は、本開示の実施例に係る別の下り制御チャネル検出方法のフローチャートである。
【図６】図６は、本開示の実施例に係る端末の構造図である。
【図７】図７は、本開示の実施例に係るネットワーク側機器の構造図である。
【図８】図８は、本開示の実施例に係る別の端末の構造図である。
【図９】図９は、本開示の実施例に係る別のネットワーク側機器の構造図である。
【発明を実施するための形態】
【００５３】
本開示の解決しようとする技術課題、技術手段及び利点を明確にするために、以下、図面及び具体的な実施例とともに詳細に記載する。
【００５４】
図１を参照する。図１は、本開示の実施例の応用可能なネットワーク構造図である。図１に示すように、端末１１とネットワーク側機器１２が含まれる。ここで、端末１１は、ユーザ端末ＵＥ（Ｕｓｅｒ  Ｅｑｕｉｐｍｅｎｔ）又は他の端末機器であってもよく、例えば、携帯電話、タブレットパソコン（Ｔａｂｌｅｔ  Ｐｅｒｓｏｎａｌ  Ｃｏｍｐｕｔｅｒ）、ラップトップコンピュータ（Ｌａｐｔｏｐ  Ｃｏｍｐｕｔｅｒ）、パーソナルデジタルアシスタントＰＤＡ（ｐｅｒｓｏｎａｌ  ｄｉｇｉｔａｌ  ａｓｓｉｓｔａｎｔ）、モバイルインターネットデバイスＭＩＤ（Ｍｏｂｉｌｅ  Ｉｎｔｅｒｎｅｔ  Ｄｅｖｉｃｅ）又はウェアラブルデバイス（Ｗｅａｒａｂｌｅ  Ｄｅｖｉｃｅ）などの端末側機器である。なお、本開示の実施例では、端末の具体的な種類を限定しない。ネットワーク側機器１２は、マクロ基地局、ＬＴＥ  ｅＮＢ、５Ｇ  ＮＲ  ＮＢなどの基地局であってもよい。ネットワーク側機器は、低電力ノードＬＰＮ（ｌｏｗ  ｐｏｗｅｒ  ｎｏｄｅ）、ｐｉｃｏ、ｆｅｍｔｏなどのスモール基地局であり、又はアクセスポイントＡＰ（ａｃｃｅｓｓ  ｐｏｉｎｔ）である。基地局は、中央ユニットＣＵ（ｃｅｎｔｒａｌ  ｕｎｉｔ）及びその管理／制御下の複数の伝送受信ポイントＴＲＰ（Ｔｒａｎｓｍｉｓｓｉｏｎ  Ｒｅｃｅｐｔｉｏｎ  Ｐｏｉｎｔ）からなるネットワークノードであってもよい。なお、本開示の実施例では、ネットワーク側機器の具体的な種類を限定しない。
【００５５】
図２を参照すると、図２は、本開示の実施例に係る下り制御チャネル検出方法のフローチャートであり、図２に示すように、少なくとも下り制御チャネルの検出情報を指示するための省電力信号の検出を端末が行うステップ２０１と、前記省電力信号が検出されると、前記端末が前記検出情報に基づいて前記下り制御チャネルを検出するステップ２０２とを含む。
【００５６】
本開示の実施例において、上記省電力信号は、ＰＤＣＣＨブラインド検出を活性化する（又はトリガすると称する）ための信号であり、端末が該省電力信号を検出すると、上記活性化時間内でＰＤＣＣＨをブラインド検出する。例えば、上記省電力信号がウェイクアップ信号ＷＵＳ（Ｗａｋｅｕｐ  Ｓｉｇｎａｌ）であると、上記省電力信号ウィンドウは、ＷＵＳウィンドウである。もちろん、これについて限定せず、例えば、上記省電力信号は、プロトコルに定義された他の信号、又は、ネットワーク側機器と端末との間で予め取り決められた他の信号であってもよい。また、上記省電力信号は、端末固有（ＵＥ  ｓｐｅｃｉｆｉｃ）信号であってもよい。
【００５７】
上記検出情報は、下り制御チャネル検出に関する情報であってもよい。任意選択で、本開示の実施例において、検出情報は、ＡＬ及び／又は候補（ｃａｎｄｉｄａｔｅ）位置を含む。このように、ＡＬ及び／又は候補（ｃａｎｄｉｄａｔｅ）位置により、端末は、該ＡＬのみを検出すればよく、他のＡＬを検出する必要がなく、下り制御チャネルのブラインド検出の複雑度を低減して端末の消費電力を節約することができる。端末は、上記省電力信号が指示するｃａｎｄｉｄａｔｅ位置のみを検出し、他のｃａｎｄｉｄａｔｅ位置を検出する必要がなく、下り制御チャネルのブラインド検出の複雑度を低減して端末の消費電力を節約することも実現できる。もちろん、本開示の実施例において、上記検出情報は、ＡＬ及び／又は候補（ｃａｎｄｉｄａｔｅ）位置に限定されず、例えば下り制御チャネルの検出に関する他の情報パラメータであってもよい。また、本開示の実施例において、下り制御チャネルの検出は、下り制御チャネルのブラインド検出である。
【００５８】
本開示の実施例において、上記省電力信号によって下り制御チャネルの検出情報を指示することは、検出情報を明示的又は暗示的に指示することである。これにより、省電力信号によって検出情報を指示することは、省電力信号に上記検出情報が搬送される（又は含まれる）と理解してもよい。任意選択で、上記省電力信号は、データ到着及び前記検出情報を指示する。端末は、該省電力信号を受信すると、データが間もなく到着すると決定し、下り制御チャネルを検出する。
【００５９】
一方、ステップ２０２における上記省電力信号が検出されると、端末が前記検出情報に基づいて前記下り制御チャネルを検出することは、端末が上記省電力信号を検出すると下り制御チャネル検出を活性化し（又はトリガすると称する）、且つ上記検出情報に基づいて検出すると理解する。このように、端末は、上記省電力信号を検出してから下り制御チャネルを検出し、つまり、省電力信号により、端末が下り制御チャネルの到着タイミングを判断することができる。
【００６０】
上記ステップにより、省電力信号を検出してから下り制御チャネルを検出し、且つ上記検出情報に基づいて検出することで、端末が下り制御チャネルを検出する時間を低減し、且つ複数の検出情報に基づいて検出する必要がなく、下り制御チャネルのブラインド検出の複雑度を低減し、端末の消費電力を節約することができる。
【００６１】
なお、本開示の実施例において、下り制御チャネルは、物理下り制御チャネルＰＤＣＣＨ（Ｐｈｙｓｉｃａｌ  Ｄｏｗｎｌｉｎｋ  Ｃｏｎｔｒｏｌ  Ｃｈａｎｎｅｌ）であってもよいが、これに限定されない。本開示の実施例において、下り制御チャネルは、拡張物理下り制御チャネルｅＰＤＣＣＨ（Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）又はマシン型通信物理下り制御チャネルＭＰＤＣＣＨ（ＭＴＣ  Ｐｈｙｓｉｃａｌ  Ｄｏｗｎｌｉｎｋ  Ｃｏｎｔｒｏｌ  Ｃｈａｎｎｅｌ）など、既存の及び将来の可能な様々な定義の制御チャネルを指す。
【００６２】
また、本開示の実施例において、上記端末の状態は、接続状態（ＲＲＣ＿Ｃｏｎｎｅｃｔｅｄ  ）であってもよく、アイドル状態（ＲＲＣ＿ＩＤＬＥ）又は非活性状態（ＲＲＣ＿Ｉｎａｃｔｉｖｅ）のような非接続状態であってもよい。本開示の実施例において、認可帯域及び免許不要帯域の両方をサポートし、ＮＲ技術に適用可能であり、ＬＴＥなどの他の通信システムにも適用可能である。
【００６３】
代替的な実施形態として、前記省電力信号は、第３シーケンスの関数である目標シーケンス、第１シーケンスの入力パラメータ及び第２シーケンスのサイクリックシフト値の少なくとも１つを含む。
【００６４】
代替的な実施形態として、前記省電力信号は、第３シーケンスの関数である目標シーケンス、第１シーケンスの入力パラメータ及び第２シーケンスのサイクリックシフト値の少なくとも１つによって前記検出情報を指示する。
【００６５】
ここで、上記目標シーケンスは、上記第３シーケンスに対して上記関数演算を行うことにより得られる上記目標シーケンスであり、例えば、上記関数は、巡回繰り返し、又は打ち切り、又は直交拡散などの関数処理である。
【００６６】
また、上記第１シーケンス、第２シーケンス、第３シーケンスは、プロトコルで定義されたシーケンスであってもよいし、ネットワーク側機器と端末との間で予め取り決められたシーケンスであってもよい。例えば、前記第１シーケンスは、ＰＮシーケンス、直交シーケンス又はＣＡＺＡＣシーケンスを含み、及び／又は、前記第２シーケンスは、直交シーケンス、ＣＡＺＡＣシーケンス又はＰＮシーケンスを含み、及び／又は、前記第３シーケンスは、前記下り制御チャネルのＤＭＲＳシーケンスを含む。
【００６７】
ここで、本開示の実施例において、ＰＮシーケンスは、Ｍシーケンス又はｇｏｌｄシーケンスなどのような疑似ランダムシーケンスの総称を指すが、直交シーケンスは、通常のハダマー（Ｈａｄａｍａｒｄ）シーケンス又はウォルシュ（Ｗａｌｓｈ）シーケンスなどのような多くのシーケンスを含む。
【００６８】
なお、上記目標シーケンスがＤＭＲＳのシーケンスの関数であってもよいため、本実施形態において、ＤＭＲＳシーケンスによって上記省電力信号を構築することが実現可能であり、これは、該省電力信号が上記目標シーケンスであってもよいため、ＤＭＲＳシーケンスによって構築された上記省電力信号は、データ到着を指示することも、上記検出情報を指示することも可能であるためである。このように、ＤＭＲＳシーケンスと検出情報とは対応関係にあるため、例えば、ＤＭＲＳとＡＬとは対応関係にあるため、省電力信号と検出情報との対応関係を更に追加する必要がない。従って、端末は、上記省電力信号を検出すると、その指示された検出情報を決定することができる。更に複雑度を低減し、端末の消費電力を節約する。
【００６９】
もちろん、本開示の実施例において、第１シーケンス、第２シーケンス及び第３シーケンスは、限定されない。例えば、第１シーケンス、第２シーケンス及び第３シーケンスは、ＺＣシーケンス又は同等の機能を有する同期シーケンスなどであってもよい。
【００７０】
この実施形態において、検出情報を目標シーケンス、第１シーケンスの入力パラメータ及び第２シーケンスのサイクリックシフト値の少なくとも１つによって指示するので、検出情報を指示する際に新たなシーケンスを定義する必要がなく、下り制御チャネルを検出する複雑度が低減され、端末の消費電力が更に低減される。もちろん、目標シーケンス、第１シーケンスの入力パラメータ及び第２シーケンスのサイクリックシフト値は、データ到着も指示する。
【００７１】
任意選択で、前記検出情報は、ＡＬを含み、前記省電力信号は、前記ＡＬ及びデータ到着を指示するための前記目標シーケンスを含み、前記端末が省電力信号の検出を行うことは、前記端末が、前記目標シーケンスに対して、複数のＡＬのＤＭＲＳに対応するシーケンスを用いて相関ピーク検出を行い、前記複数のＡＬのうち、所定の閾値よりも大きい最大相関ピークに対応するＡＬを、前記目標シーケンスによって指示されるＡＬとすることを含む。
【００７２】
ここで、上記ＤＭＲＳに対応するシーケンスは、ＡＬのＤＭＲＳシーケンスであってもよく、又はＡＬのＤＭＲＳと特定の対応関係を有するシーケンスであってもよいが、これについて限定しない。
【００７３】
この実施形態において、目標シーケンスがＤＭＲＳシーケンスの関数である場合、端末は、ＡＬのＤＭＲＳに対応するシーケンスを用いて目標シーケンスに対する相関ピーク検出を行い、上記最大相関ピークが検出された場合、端末が上記省電力信号を検出したことを決定し、且つ、該省電力信号が指示するＡＬも決定することができ、他のＡＬをブラインド検出する必要がなく、更に下り制御チャネルを検出する複雑度を低減し、端末の消費電力を更に節約することができる。
【００７４】
なお、この実施形態において、目標シーケンスがＤＭＲＳシーケンスの関数であるため、下り制御チャネルを検出する際に他のシーケンスを定義又は参照する必要がなく、複雑度を低減することができる。
【００７５】
例えば、基地局は、端末にＰＤＣＣＨ／物理下り共有チャネルＰＤＳＣＨ（Ｐｈｙｓｉｃａｌ  Ｄｏｗｎｌｉｎｋ  Ｓｈａｒｅｄ  Ｃｈａｎｎｅｌ）を送信する前に、特定のリソース上で１つの省電力信号を送信する。該省電力信号は、端末固有（ＵＥ  ｓｐｅｃｉｆｉｃ）の信号であってもよく、該端末のＰＤＣＣＨに対応するＤＭＲＳの関数である。例えば、該信号は、長さがＮであるシーケンス（Ｍ（Ｍ＞＝１）個のＯＦＤＭシンボルを占有してもよい）であって、ＰＤＣＣＨに対応するＤＭＲＳの関数であることが予め定められている。上記の関数関係は、ＰＤＣＣＨのＡＬで対応するＤＭＲＳシーケンス長がＮよりも低くなると、端末が例えば元のＤＭＲＳシーケンスに対し巡回繰り返しして長さＮの目標シーケンスを得る簡易な繰り返しスキームを用いることを仮定し、Ｎ＝５、ＤＭＲＳ＝［ｘ１  ｘ２  ｘ３］を仮定すると、目標シーケンスが［ｘ１  ｘ２  ｘ３  ｘ１  ｘ２］となり、ＰＤＣＣＨに対応するＤＭＲＳシーケンス長がＮよりも大きいと、端末が直接打ち切る方法を用いて、そのシーケンスを得ることを簡易な関数で表現したものである。端末は、対応するリソース上でこのシーケンスをブラインド検出し、簡易な方法でＰＤＣＣＨの可能な異なる集約レベルのＤＭＲＳに対応するシーケンスと受信した長さＮのシーケンスとの相関ピーク検出を行い、相関ピークが最大であり且つ特定の閾値よりも大きい場合、その端末のデータが間もなく到着すると考え、最大相関ピークに対応する集約レベルがＰＤＣＣＨに対応する集約レベルである。端末は、この集約レベルをそのまま利用してＰＤＣＣＨを検出し、他の集約レベルをブラインド検出しなくなる。上記関数関係は、単なる一例であり、例えばＤＭＲＳシーケンスを直交拡散することにより、同様に長さＮのシーケンスを得ることができ、ＤＭＲＳ関数関係であれば、全て本開示の保護範囲内にある。
【００７６】
前記検出情報は、ＡＬを含み、前記省電力信号は、前記ＡＬを指示するための前記第２シーケンスのサイクリックシフト値を含む。
【００７７】
ここで、上記サイクリックシフト値は、サイクリックシフトシフトパラメータと呼ぶこともできる。
【００７８】
この実施形態において、検出情報がＡＬを含む場合、省電力信号は、第２シーケンスのサイクリックシフト値によって前記ＡＬを指示することが可能である。即ち、この実施形態において、異なるサイクリックシフト値は、異なるＡＬに対応する。このように、第２シーケンスのサイクリックシフト値で前記ＡＬを指示することにより、下り制御チャネルの検出時に新たに他のシーケンスを定義したり参照したりする必要がなくなり、複雑度を低減することができる。
【００７９】
また、この実施形態において、上記省電力信号は、上記ＡＬを指示するための信号サブセットを複数含む。例えば、該省電力信号は、上記ＡＬを指示するための信号サブセットを複数含むディスカバリ信号である。又は、上記省電力信号は、ある信号の１つの信号サブセットであり、例えば、ディスカバリ信号の１つの信号サブセットである。
【００８０】
端末は、第１信号サブセットを検出すると、電力ランプアップを開始する。端末は、（上記ＡＬを指示する）第２信号サブセットを受信すると、該ＡＬに基づいて前記下り制御チャネルを検出し、端末の消費電力を低減する。
【００８１】
上記省電力信号は、ＵＥ  ｓｐｅｃｉｆｉｃ信号であり、直接接続状態（ＲＲＣ−ｃｏｎｎｅｃｔｅｄ  ｍｏｄｅ）でのディスカバリ信号としてもよく、ディスカバリ信号の一部としてもよい。図３に示されるように、基地局は、まずＤＲＸ  ｏｎ周期の前にＷＵＳのサブセット１を送信し、その後、ＰＤＣＣＨの前にＷＵＳの別のサブセット、例えばサブセット２を送信する。該ＷＵＳ  ｓｅｔは、ＣＡＺＡＣシーケンスのサイクリックシフトであり、異なるサイクリックシフト値は、ＰＤＣＣＨ探索空間の異なる集約レベルに対応する。端末は、まずＷＵＳのサブセット１を検出すると、電力ランプアップを開始するが、ＰＤＣＣＨではなく、ＷＵＳサブセット２を検出し、ＷＵＳサブセット２の検出に成功すると、データ到着と決定すると同時に、ＰＤＣＣＨに対応する集約レベルも決定する。端末は、この集約レベルを直接利用してＰＤＣＣＨを検出し、集約レベルのブラインド検出を実行しない。
【００８２】
もちろん、上記実施形態において、いくつかのシーンでは、第２シーケンスのサイクリックシフト値によって前記ｃａｎｄｉｄａｔｅ位置を指示してもよい。即ち、この実施形態では、異なるサイクリックシフト値は、異なるｃａｎｄｉｄａｔｅ位置に対応する。又は、ＡＬ及び／又はｃａｎｄｉｄａｔｅ位置を第２シーケンスのサイクリックシフト値によって指示し、例えば、第２シーケンスのサイクリックシフト値と検出情報（例えば、ＡＬ及び／又はｃａｎｄｉｄａｔｅ位置）との対応関係を予め設定する。
【００８３】
任意選択で、前記省電力信号は、前記第１シーケンスを含み、ここで、前記第１シーケンスの初期値は、前記端末の端末識別子であり、前記第１シーケンスの入力パラメータは、前記検出情報を含む。
【００８４】
ここで、上記入力パラメータは、第１シーケンスの外部入力パラメータと理解できる。
【００８５】
この実施形態において、上記検出情報（例えば、ＡＬ及び／又はｃａｎｄｉｄａｔｅ位置）を第１シーケンスの入力パラメータとすることができる。従って、端末は、上記第１シーケンスを受信すると、上記初期値及び第１シーケンスにより、上記入力パラメータを得ることができ、上記検出情報を得ることができる。これにより、下り制御チャネルの検出に際して、新たに他のシーケンスを定義したり参照したりする必要がなく、複雑度を低減することができる。
【００８６】
例えば、上記省電力信号（例えば、ＵＥ  ｓｐｅｃｉｆｉｃ信号）は、複数の入力パラメータを有するＰＮシーケンスで実現されてもよい。端末識別子（ＵＥ  ＩＤ）情報をＰＮシーケンスの初期値とし、ＰＤＣＣＨに対応する集約レベル及びＰＤＣＣＨ  ｃａｎｄｉｄａｔｅ位置情報を外部入力パラメータとする。このシーケンスは、通常ＰＤＣＣＨよりも先に送信される。端末が該シーケンスを検出すると、ＰＤＣＣＨの集約レベルだけでなく、同時にＰＤＣＣＨ  ｃａｎｄｉｄａｔｅの位置情報も決定され、ＰＤＣＣＨの検出の複雑度を大きく低減する。
【００８７】
なお、上記ＰＤＣＣＨ検出情報を搬送する省電力信号を発生する方法は、いくつかの具体例に過ぎず、他の実施形態を排除するものではない。
【００８８】
代替的な実施形態として、上記省電力信号は、ディスカバリ信号、ディスカバリ信号の信号サブセット又はオンデマンド基準信号Ｏｎ−ｄｅｍａｎｄ  ＲＳ（Ｏｎ−ｄｅｍａｎｄ  Ｒｅｆｅｒｅｎｃｅ  Ｓｉｇｎａｌ）を含む。
【００８９】
ここで、上記ディスカバリ信号は、接続状態のディスカバリ信号であってもよいし、もちろん、いくつかのシナリオにおいて、非接続状態のディスカバリ信号であってもよい。
【００９０】
また、上記省電力信号がＯｎ−ｄｅｍａｎｄ  ＲＳを含む場合、Ｏｎ−ｄｅｍａｎｄ  ＲＳは、省電力信号の１つの信号サブセットであってもよいが、省電力信号は、該信号サブセットに加えて、他の信号サブセットを含んでもよい。又は、上記省電力信号がＯｎ−ｄｅｍａｎｄ  ＲＳの場合には、そのＯｎ−ｄｅｍａｎｄ  ＲＳは、ある信号の信号サブセットであってもよいし、独立した信号としてもよく、即ちある信号の信号サブセットとならない。
【００９１】
例えば、省電力信号（例えば、ＵＥ  ｓｐｅｃｉｆｉｃ信号）は、ｏｎ−ｄｅｍａｎｄ  ＲＳとしても使用される。図４に示すように、端末は、シンボルｎ−Ｌ＋１でＷＵＳ信号を検出し始める。Ｌ個のシンボルのＷＵＳを検出した後、端末は、シンボルｎがＷＵＳでウェイクアップし、無線周波数ＲＦ（Ｒａｄｉｏ  Ｆｒｅｑｕｅｎｃｙ）回路がパワーアップを開始する。ＵＥ  ｓｐｅｃｉｆｉｃのｏｎ−ｄｅｍａｎｄ  ＲＳは、シンボルｎ＋ｘ（ｘ＞＝０）からシンボルｎ＋Ｍまで伝送される。端末は、ｏｎ−ｄｅｍａｎｄ  ＲＳの検出に成功した後、シンボルｎ＋Ｍ＋１からＰＤＣＣＨ／ＰＤＳＣＨの伝送を開始する。ＵＥ  ｓｐｅｃｉｆｉｃのｏｎ−ｄｅｍａｎｄ  ＲＳは、前述の方法を用いて生成される。端末は、ｏｎ−ｄｅｍａｎｄ  ＲＳを用いてデータ到着を検出すると同時に、ＰＤＣＣＨ検出支援情報を取得する。加えて、このｏｎ−ｄｅｍａｎｄ  ＲＳは、チャネル追跡、無線リソース管理ＲＲＭ（Ｒａｄｉｏ  Ｒｅｓｏｕｒｃｅ  Ｍａｎａｇｅｍｅｎｔ）測定などの動作にも使用される。
【００９２】
代替的な実施形態として、前記省電力信号は、少なくとも前記検出情報を指示するための第２信号サブセットと、前記第２信号サブセットの前の第１信号サブセットとを少なくとも含む。前記の前記省電力信号が検出されると、前記端末が前記検出情報に基づいて前記下り制御チャネルを検出することは、前記端末が前記第１信号サブセットを受信すると、前記端末が電力ランプアップを開始することと、前記端末が前記第２信号サブセットを受信すると、前記端末が前記検出情報に基づいて前記下り制御チャネルを検出することとを含む。
【００９３】
この実施形態において、上記第１信号サブセットによって端末の受信機をウェイクアップして電力ランプアップを行い、その後、第２信号サブセットを検出し、第２信号サブセットが検出されると、前記検出情報に基づいて前記下り制御チャネルの検出を開始することが実現される。これにより、第１信号サブセットが検出された場合には下り制御チャネルを検出せずに電力ランプアップのみを行い、第２信号サブセットが検出された場合には下り制御チャネルを検出するので、端末の消費電力を更に節約することができる。任意選択で、第２信号サブセットの位置と下り制御チャネルの位置との間隔は、０であってもよいし、予め設定された閾値より小さくてもよい。
【００９４】
また、この実施形態において、省電力信号が複数の信号サブセットを含む場合を紹介しているが、いくつかの実施形態において、上記省電力信号は、ある信号の信号サブセットとして理解できる。この省電力信号の実施形態については、上記第２信号サブセットを参照する。即ち、上記第１信号サブセットは、他の信号として理解し、上記第２信号サブセットは、上記省電力信号として理解する。
【００９５】
代替的な実施形態として、前記省電力信号は、少なくとも１つの信号サブセットを含み、ここで、前記検出情報を指示するための信号サブセットは、前記下り制御チャネルと周波数分割多重化され、又は、前記検出情報を指示するための信号サブセットは、前記下り制御チャネルよりも先に伝送される。
【００９６】
この実施態様において、前記検出情報を指示する信号サブセットと下り制御チャネルとの周波数分割多重化が実現し、即ち同時に伝送することができ、これにより端末の稼働率を高めることができる。時分割多重化も実現し、即ち同時に伝送されないが、同じ周波数領域リソースを用いて伝送されることにより、周波数領域リソースを節約することができる。なお、上記省電力信号が１つの信号サブセットしか含まない場合、該省電力信号は、前記下り制御チャネルと周波数分割多重化されるか、又は、前記下り制御チャネルよりも先に伝送される。
【００９７】
もちろん、本開示の実施例において、前記検出情報を指示する信号サブセットが前記下り制御チャネルの後に伝送される技術的解決策も除外されない。
【００９８】
なお、本開示の実施例において提供される上記の様々な代替的な実施形態は、それぞれが独立して実現されてもよく、互いに組み合わせて実現されてもよいが、これについて限定しない。
【００９９】
本開示の実施例によって紹介される技術案によって、以下のことが実現される。省電力信号は、データ到着を指示し、且つ下りチャネル検出に関する情報を搬送し、集約レベルとｃａｎｄｉｄａｔｅｓ位置情報のうちの少なくとも１つを含む。且つ、該信号は、ディスカバリ信号でもよいし、ｏｎ−ｄｅｍａｎｄ  ＲＳでもよいし、ＷＵＳの一部として下り制御チャネルの前に伝送されてもよいし、ｃｏｎｎｅｃｔｅｄ  ｍｏｄｅの一種ＷＵＳの構成方法としてもよい。例えば、省電力信号は、ＷＵＳとしてもよい。これにより、省電力信号により下り制御チャネルの到着時刻を判定することができるだけでなく、下り制御チャネルのブラインド検出の複雑度を大幅に低減することもできる。
【０１００】
本開示の実施例において、端末は、少なくとも下り制御チャネルの検出情報を指示するための省電力信号の検出を行い、前記省電力信号を検出すると、前記検出情報に基づいて前記下り制御チャネルを検出する。これによって、上記省電力信号で下り制御チャネルの検出をトリガすることを実現することができ、且つ省電力信号によって指示される検出情報に基づいて直接検出を行うことができるため、端末の消費電力を低減することができる。
【０１０１】
図５を参照すると、図５は、本開示の実施例に係る別の下り制御チャネル検出方法のフローチャートである。図５に示すように、少なくとも下り制御チャネルの検出情報を指示するための省電力信号をネットワーク側機器から送信するステップ５０１を含み、よって、端末が前記省電力信号を検出すると、前記検出情報に基づいて前記下り制御チャネルを検出する。
【０１０２】
任意選択で、前記省電力信号は、データ到着及び前記検出情報を指示する。
【０１０３】
任意選択で、前記検出情報は、ＡＬ及び／又はｃａｎｄｉｄａｔｅ位置の少なくとも１つを含む。
【０１０４】
任意選択で、前記省電力信号は、第３シーケンスの関数である目標シーケンス、第１シーケンスの入力パラメータ及び第２シーケンスのサイクリックシフト値の少なくとも１つによって前記検出情報を指示する。
【０１０５】
任意選択で、前記第１シーケンスは、ＰＮシーケンス、直交シーケンス又はＣＡＺＡＣシーケンスを含み、及び／又は、前記第２シーケンスは、直交シーケンス、ＣＡＺＡＣシーケンス又はＰＮシーケンスを含み、及び／又は、前記第３シーケンスは、前記下り制御チャネルの復調基準信号ＤＭＲＳシーケンスを含む。
【０１０６】
任意選択で、前記検出情報は、ＡＬを含み、前記省電力信号は、前記ＡＬ及びデータ到着を指示するための前記目標シーケンスを含み、又は、前記出情報は、ＡＬを含み、前記省電力信号は、前記ＡＬを指示するための前記第２シーケンスのサイクリックシフト値を含み、又は、前記省電力信号は、前記第１シーケンスを含み、ここで、前記第１シーケンスの初期値は、前記端末の端末識別子であり、前記第１シーケンスの入力パラメータは、前記検出情報を含む。
【０１０７】
任意選択で、前記省電力信号は、ディスカバリ信号、ディスカバリ信号の信号サブセット又はＯｎ−ｄｅｍａｎｄ  ＲＳを含む。
【０１０８】
任意選択で、前記省電力信号は、少なくとも前記検出情報を指示するための第２信号サブセットと、前記第２信号サブセットの前の第１信号サブセットとを少なくとも含む。
【０１０９】
任意選択で、前記省電力信号は、少なくとも１つの信号サブセットを含み、ここで、前記検出情報を指示するための信号サブセットは、前記下り制御チャネルと周波数分割多重化され、又は、前記検出情報を指示するための信号サブセットは、前記下り制御チャネルよりも先に伝送される。
【０１１０】
なお、本実施例は、図２に示す実施例に対応するネットワーク側機器の実施形態として、その具体的な実施形態について、図２に示す実施例の関連説明を参照し、重複を避けるために、本実施例では繰り返して述べず、且つ同じ効果を奏することもできる。
【０１１１】
図６を参照すると、図６は、本開示の実施例に係る端末の構造図である。図６に示すように、端末６００は、少なくとも下り制御チャネルの検出情報を指示するための省電力信号の検出を行う第１検出モジュール６０１と、前記省電力信号が検出されると、前記検出情報に基づいて前記下り制御チャネルを検出する第２検出モジュール６０２とを含む。
【０１１２】
任意選択で、前記省電力信号は、データ到着及び前記検出情報を指示する。
【０１１３】
任意選択で、前記検出情報は、集約レベルＡＬ及び／又は候補ｃａｎｄｉｄａｔｅ位置の少なくとも１つを含む。
【０１１４】
任意選択で、前記省電力信号は、第３シーケンスの関数である目標シーケンス、第１シーケンスの入力パラメータ及び第２シーケンスのサイクリックシフト値の少なくとも１つによって前記検出情報を指示する。
【０１１５】
任意選択で、前記第１シーケンスは、ＰＮシーケンス、直交シーケンス又はＣＡＺＡＣシーケンスを含み、及び／又は、前記第２シーケンスは、直交シーケンス、ＣＡＺＡＣシーケンス又はＰＮシーケンスを含み、及び／又は、前記第３シーケンスは、前記下り制御チャネルの復調基準信号ＤＭＲＳシーケンスを含む。
【０１１６】
任意選択で、前記検出情報は、ＡＬを含み、前記省電力信号は、前記ＡＬ及びデータ到着を指示するための前記目標シーケンスを含む。前記第１検出モジュール６０１は、前記目標シーケンスに対して、複数のＡＬのＤＭＲＳに対応するシーケンスを用いて相関ピーク検出を行い、前記複数のＡＬのうち、所定の閾値よりも大きい最大相関ピークに対応するＡＬを、前記目標シーケンスによって指示されるＡＬとする。
【０１１７】
任意選択で、前記検出情報は、ＡＬを含み、前記省電力信号は、前記ＡＬを指示するための前記第２シーケンスのサイクリックシフト値を含み、又は、前記省電力信号は、前記第１シーケンスを含み、ここで、前記第１シーケンスの初期値は、前記端末の端末識別子であり、前記第１シーケンスの入力パラメータは、前記検出情報を含む。
【０１１８】
任意選択で、前記省電力信号は、ディスカバリ信号、ディスカバリ信号の信号サブセット又はＯｎ−ｄｅｍａｎｄ  ＲＳを含む。
【０１１９】
任意選択で、前記省電力信号は、少なくとも前記検出情報を指示するための第２信号サブセットと、前記第２信号サブセットの前の第１信号サブセットとを少なくとも含む。第２検出モジュール６０２は、前記端末が前記第１信号サブセットを受信すると、電力ランプアップを開始し、前記端末が前記第２信号サブセットを受信すると、前記検出情報に基づいて前記下り制御チャネルを検出する。
【０１２０】
任意選択で、前記省電力信号は、少なくとも１つの信号サブセットを含み、ここで、前記検出情報を指示するための信号サブセットは、前記下り制御チャネルと周波数分割多重化され、又は、前記検出情報を指示するための信号サブセットは、前記下り制御チャネルよりも先に伝送される。
【０１２１】
なお、本実施例における上記端末６００は、本開示の実施例の方法実施例における任意の実施形態の端末であってもよく、本開示の実施例の方法実施例における端末の任意の実施例形態は、本実施例における上記端末６００によって実現することができ、同じ効果を奏することもできるので、ここでは繰り返して述べない。
【０１２２】
図７を参照すると、図７は、本開示の実施例に係るネットワーク側機器の構造図である。図７に示すように、ネットワーク側機器７００は、少なくとも下り制御チャネルの検出情報を指示するための省電力信号を送信する送信モジュール７０１を含み、よって、端末が前記省電力信号を検出すると、前記検出情報に基づいて前記下り制御チャネルを検出する。
【０１２３】
任意選択で、前記省電力信号は、データ到着及び前記検出情報を指示する。
【０１２４】
任意選択で、前記検出情報は、ＡＬ及び／又はｃａｎｄｉｄａｔｅ位置の少なくとも１つを含む。
【０１２５】
任意選択で、前記省電力信号は、第３シーケンスの関数である目標シーケンス、第１シーケンスの入力パラメータ及び第２シーケンスのサイクリックシフト値の少なくとも１つによって前記検出情報を指示する。
【０１２６】
任意選択で、前記第１シーケンスは、ＰＮシーケンス、直交シーケンス又はＣＡＺＡＣシーケンスを含み、及び／又は、前記第２シーケンスは、直交シーケンス、ＣＡＺＡＣシーケンス又はＰＮシーケンスを含み、及び／又は、前記第３シーケンスは、前記下り制御チャネルの復調基準信号ＤＭＲＳシーケンスを含む。
【０１２７】
任意選択で、前記検出情報は、ＡＬを含み、前記省電力信号は、前記ＡＬ及びデータ到着を指示するための前記目標シーケンスを含み、又は、前記出情報は、ＡＬを含み、前記省電力信号は、前記ＡＬを指示するための前記第２シーケンスのサイクリックシフト値を含み、又は、前記省電力信号は、前記第１シーケンスを含み、ここで、前記第１シーケンスの初期値は、前記端末の端末識別子であり、前記第１シーケンスの入力パラメータは、前記検出情報を含む。
【０１２８】
任意選択で、前記省電力信号は、ディスカバリ信号、ディスカバリ信号の信号サブセット又はＯｎ−ｄｅｍａｎｄ  ＲＳを含む。
【０１２９】
任意選択で、前記省電力信号は、少なくとも前記検出情報を指示するための第２信号サブセットと、前記第２信号サブセットの前の第１信号サブセットとを少なくとも含む。
【０１３０】
任意選択で、前記省電力信号は、少なくとも１つの信号サブセットを含み、ここで、前記検出情報を指示するための信号サブセットは、前記下り制御チャネルと周波数分割多重化され、又は、前記検出情報を指示するための信号サブセットは、前記下り制御チャネルよりも先に伝送される。
【０１３１】
なお、本実施例における上記ネットワーク側機器７００は、本開示の実施例の方法実施例における任意の実施形態のネットワーク側機器であってもよく、本開示の実施例の方法実施例におけるネットワーク側機器の任意の実施例形態は、本実施例における上記ネットワーク側機器７００によって実現することができ、同じ効果を奏することもできるので、ここでは繰り返して述べない。
【０１３２】
図８を参照すると、図８は、本開示の実施例に係る別の端末の構造図である。図８に示すように、該端末は、トランシーバ８１０と、メモリ８２０と、プロセッサ８００と、前記メモリ８２０に格納されて前記プロセッサ８００で動作可能なプログラムを含む。ここで、前記トランシーバ８１０は、少なくとも下り制御チャネルの検出情報を指示するための省電力信号の検出を行い、前記省電力信号が検出されると、前記検出情報に基づいて前記下り制御チャネルを検出する。ここで、トランシーバ８１０は、プロセッサ８００による制御でデータを送受信する。
【０１３３】
図８において、バスアーキテクチャは、任意数の相互接続するバスとブリッジを含み、具体的に、プロセッサ８００をはじめとする１つ又は複数のプロセッサとメモリ８２０をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ８１０は、複数の部品であってもよく、即ち送信機と受信機を含み、伝送媒体でほかの各種類の装置と通信するユニットとして提供される。
【０１３４】
プロセッサ８００は、バスアーキテクチャと通常の処理を管理する。メモリ８２０は、プロセッサ８００による操作実行に使用されるデータを記憶できる。
【０１３５】
なお、メモリ８２０は、端末上のみに限定されず、メモリ８２０とプロセッサ８００は、異なる地理位置に分離されてもよい。
【０１３６】
任意選択で、前記省電力信号は、データ到着及び前記検出情報を指示する。
【０１３７】
任意選択で、前記検出情報は、集約レベルＡＬ及び／又は候補ｃａｎｄｉｄａｔｅ位置の少なくとも１つを含む。
【０１３８】
任意選択で、前記省電力信号は、第３シーケンスの関数である目標シーケンス、第１シーケンスの入力パラメータ及び第２シーケンスのサイクリックシフト値の少なくとも１つによって前記検出情報を指示する。
【０１３９】
任意選択で、前記第１シーケンスは、ＰＮシーケンス、直交シーケンス又はＣＡＺＡＣシーケンスを含み、及び／又は、前記第２シーケンスは、直交シーケンス、ＣＡＺＡＣシーケンス又はＰＮシーケンスを含み、及び／又は、前記第３シーケンスは、前記下り制御チャネルの復調基準信号ＤＭＲＳシーケンスを含む。
【０１４０】
任意選択で、前記検出情報は、ＡＬを含み、前記省電力信号は、前記ＡＬ及びデータ到着を指示するための前記目標シーケンスを含む。前記の省電力信号の検出を行うことは、前記目標シーケンスに対して、複数のＡＬのＤＭＲＳに対応するシーケンスを用いて相関ピーク検出を行い、前記複数のＡＬのうち、所定の閾値よりも大きい最大相関ピークに対応するＡＬを、前記目標シーケンスによって指示されるＡＬとすることを含む。
【０１４１】
任意選択で、前記検出情報は、ＡＬを含み、前記省電力信号は、前記ＡＬを指示するための前記第２シーケンスのサイクリックシフト値を含み、又は、前記省電力信号は、前記第１シーケンスを含み、ここで、前記第１シーケンスの初期値は、前記端末の端末識別子であり、前記第１シーケンスの入力パラメータは、前記検出情報を含む。
【０１４２】
任意選択で、前記省電力信号は、ディスカバリ信号、ディスカバリ信号の信号サブセット又はＯｎ−ｄｅｍａｎｄ  ＲＳを含む。
【０１４３】
任意選択で、前記省電力信号は、少なくとも前記検出情報を指示するための第２信号サブセットと、前記第２信号サブセットの前の第１信号サブセットとを少なくとも含む。前記の前記省電力信号が検出されると、前記検出情報に基づいて前記下り制御チャネルを検出することは、前記端末が前記第１信号サブセットを受信すると、電力ランプアップを開始することと、前記端末が前記第２信号サブセットを受信すると、前記検出情報に基づいて前記下り制御チャネルを検出することとを含む。
【０１４４】
任意選択で、前記省電力信号は、少なくとも１つの信号サブセットを含み、ここで、前記検出情報を指示するための信号サブセットは、前記下り制御チャネルと周波数分割多重化され、又は、前記検出情報を指示するための信号サブセットは、前記下り制御チャネルよりも先に伝送される。
【０１４５】
なお、本実施例における上記端末は、本開示の実施例の方法実施例における任意の実施形態の端末であってもよく、本開示の実施例の方法実施例における端末の任意の実施例形態は、本実施例における上記端末によって実現することができ、同じ効果を奏することもできるので、ここでは繰り返して述べない。
【０１４６】
図９を参照すると、図９は、本開示の実施例に係る別のネットワーク側機器の構造図である。図９に示すように、該ネットワーク側機器は、トランシーバ９１０と、メモリ９２０と、プロセッサ９００と、前記メモリ９２０に格納されて前記プロセッサで動作可能なプログラムを含む。前記トランシーバ９１０は、少なくとも下り制御チャネルの検出情報を指示するための省電力信号を送信し、よって、端末が前記省電力信号を検出すると、前記検出情報に基づいて前記下り制御チャネルを検出する。ここで、トランシーバ９１０は、プロセッサ９００による制御でデータを送受信する。
【０１４７】
図９において、バスアーキテクチャは、任意数の相互接続するバスとブリッジを含み、具体的に、プロセッサ９００をはじめとする１つ又は複数のプロセッサとメモリ９２０をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ９１０は、複数の部品であってもよく、即ち送信機と受信機を含み、伝送媒体でほかの各種類の装置と通信するユニットとして提供される。
【０１４８】
プロセッサ９００は、バスアーキテクチャと通常の処理を管理する。メモリ９２０は、プロセッサ９００による操作実行に使用されるデータを記憶できる。
【０１４９】
なお、メモリ９２０は、端末上のみに限定されず、メモリ９２０とプロセッサ９００は、異なる地理位置に分離されてもよい。
【０１５０】
任意選択で、前記省電力信号は、データ到着及び前記検出情報を指示する。
【０１５１】
任意選択で、前記検出情報は、ＡＬ及び／又はｃａｎｄｉｄａｔｅ位置の少なくとも１つを含む。
【０１５２】
任意選択で、前記省電力信号は、第３シーケンスの関数である目標シーケンス、第１シーケンスの入力パラメータ及び第２シーケンスのサイクリックシフト値の少なくとも１つによって前記検出情報を指示する。
【０１５３】
任意選択で、前記第１シーケンスは、ＰＮシーケンス、直交シーケンス又はＣＡＺＡＣシーケンスを含み、及び／又は、前記第２シーケンスは、直交シーケンス、ＣＡＺＡＣシーケンス又はＰＮシーケンスを含み、及び／又は、前記第３シーケンスは、前記下り制御チャネルの復調基準信号ＤＭＲＳシーケンスを含む。
【０１５４】
任意選択で、前記検出情報は、ＡＬを含み、前記省電力信号は、前記ＡＬ及びデータ到着を指示するための前記目標シーケンスを含み、又は、前記出情報は、ＡＬを含み、前記省電力信号は、前記ＡＬを指示するための前記第２シーケンスのサイクリックシフト値を含み、又は、前記省電力信号は、前記第１シーケンスを含み、ここで、前記第１シーケンスの初期値は、前記端末の端末識別子であり、前記第１シーケンスの入力パラメータは、前記検出情報を含む。
【０１５５】
任意選択で、前記省電力信号は、ディスカバリ信号、ディスカバリ信号の信号サブセット又はＯｎ−ｄｅｍａｎｄ  ＲＳを含む。
【０１５６】
任意選択で、前記省電力信号は、少なくとも前記検出情報を指示するための第２信号サブセットと、前記第２信号サブセットの前の第１信号サブセットとを少なくとも含む。
【０１５７】
任意選択で、前記省電力信号は、少なくとも１つの信号サブセットを含み、ここで、前記検出情報を指示するための信号サブセットは、前記下り制御チャネルと周波数分割多重化され、又は、前記検出情報を指示するための信号サブセットは、前記下り制御チャネルよりも先に伝送される。
【０１５８】
なお、本実施例における上記ネットワーク側機器は、本開示の実施例の方法実施例における任意の実施形態のネットワーク側機器であってもよく、本開示の実施例の方法実施例におけるネットワーク側機器の任意の実施例形態は、本実施例における上記ネットワーク側機器によって実現することができ、同じ効果を奏することもできるので、ここでは繰り返して述べない。
【０１５９】
本開示の実施例は、コンピュータプログラムが格納されているコンピュータ読み取り可能な記憶媒体を更に提供し、該プログラムがプロセッサによって実行されると、本開示の実施例に係る端末側の下り制御チャネル検出方法のステップが実現され、又は、該プログラムがプロセッサによって実行されると、本開示の実施例に係るネットワーク側機器側の下り制御チャネル検出方法のステップが実現される。
【０１６０】
本願で提供されるいくつかの実施例において、開示された方法及び装置は、他の方式で実施されることを理解されたい。以上記載した装置実施例は、単に例示的なものである。例えば、記載したユニットの区分は、単に論理機能の区分であり、実際に実現する際に別の区分方式がある。例えば、複数のユニット又はコンポーネントは、組み合わせてもよく、別のシステムに一体化されてもよく、又は、一部の特徴は、無視されてもよく、又は実行されなくてもよい。また、示されており又は議論されている各構成部分の相互間の結合や直接結合や通信接続は、インタフェース、装置又はユニットを介した間接結合や通信接続であってもよく、電気的、機械的、又は他の形式であってもよい。
【０１６１】
また、本開示の各実施例における各機能的ユニットは、全て１つの処理ユニットに一体化されていてもよいし、別々に１つのユニットとしてもよいし、２つ以上のユニットが１つのユニットに一体化されてもよい。上述した一体化ユニットは、ハードウェアの形態、又はハードウェアとソフトウェア機能ユニットの形態で実施することができる。
【０１６２】
上述したソフトウェア機能ユニットの形態で実施される一体化ユニットは、コンピュータ読み取り可能な記憶媒体に格納されてもよい。上記ソフトウェア機能ユニットは、記憶媒体に記憶され、本開示の各実施例に記載の情報データブロックの処理方法のステップの一部をコンピュータ装置（パーソナルコンピュータ、サーバ、又はネットワーク装置であってもよい）に実行させるいくつかの指令を含む。前記の記憶媒体は、Ｕディスク、モバイルハードディスク、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスク又は光ディスクなど、プログラムコードを格納することができる様々な媒体を含む。
【０１６３】
以上記載されたのは、本開示の選択可能な実施形態である。当業者は、本開示に記載されている原理を逸脱せずに様々な改良や修飾をすることもできる。これらの改良や修飾も、本開示の保護範囲として見なされるべきである。
【図１】
2021526761.tif 000003
【図２】
2021526761.tif 000004
【図３】
2021526761.tif 000005
【図４】
2021526761.tif 000006
【図５】
2021526761.tif 000007
【図６】
2021526761.tif 000008
【図７】
2021526761.tif 000009
【図８】
2021526761.tif 000010
【図９】
2021526761.tif 000011
【手続補正書】
【提出日】令和2年12月9日(2020.12.9)
【手続補正１】
【補正対象書類名】特許請求の範囲
【補正対象項目名】全文
【補正方法】変更
【補正の内容】
【特許請求の範囲】
【請求項１】
下り制御チャネル検出方法であって、
少なくとも下り制御チャネルの検出情報を指示するための省電力信号の検出を端末が行うことと、
前記省電力信号が検出されると、前記端末が前記検出情報に基づいて前記下り制御チャネルを検出することとを含む、下り制御チャネル検出方法。
【請求項２】
前記省電力信号は、データ到着も指示する、請求項１に記載の方法。
【請求項３】
前記検出情報は、集約レベルＡＬ及び／又は候補ｃａｎｄｉｄａｔｅ位置の少なくとも１つを含む、請求項１に記載の方法。
【請求項４】
前記省電力信号は、第３シーケンスの関数である目標シーケンス、第１シーケンスの入力パラメータ及び第２シーケンスのサイクリックシフト値の少なくとも１つを含む、請求項１〜３のいずれか１項に記載の方法。
【請求項５】
前記第１シーケンスは、疑似雑音ＰＮシーケンス、直交シーケンス、又は定包絡ゼロ自己相関ＣＡＺＡＣシーケンスを含み、及び／又は、前記第２シーケンスは、直交シーケンス、ＣＡＺＡＣシーケンス又はＰＮシーケンスを含み、及び／又は、前記第３シーケンスは、前記下り制御チャネルの復調基準信号ＤＭＲＳシーケンスを含む、請求項４に記載の方法。
【請求項６】
前記検出情報は、ＡＬを含み、前記省電力信号は、前記ＡＬ及びデータ到着を指示するための前記目標シーケンスを含み、
前記端末が省電力信号の検出を行うことは、
前記端末が、前記目標シーケンスに対して、複数のＡＬのＤＭＲＳに対応するシーケンスを用いて相関ピーク検出を行い、前記複数のＡＬのうち、所定の閾値よりも大きい最大相関ピークに対応するＡＬを、前記目標シーケンスによって指示されるＡＬとすることを含み、あるいは、
前記検出情報は、ＡＬを含み、前記省電力信号は、前記ＡＬを指示するための前記第２シーケンスのサイクリックシフト値を含み、又は、前記省電力信号は、前記第１シーケンスを含み、ここで、前記第１シーケンスの初期値は、前記端末の端末識別子であり、前記第１シーケンスの入力パラメータは、前記検出情報を含む、請求項４に記載の方法。
【請求項７】
前記省電力信号は、ディスカバリ信号、ディスカバリ信号の信号サブセット又はオンデマンド基準信号Ｏｎ−ｄｅｍａｎｄ  ＲＳを含み、あるいは、
前記省電力信号は、少なくとも前記検出情報を指示するための第２信号サブセットと、前記第２信号サブセットの前の第１信号サブセットとを少なくとも含み、
前記の前記省電力信号が検出されると、前記端末が前記検出情報に基づいて前記下り制御チャネルを検出することは、
前記端末が前記第１信号サブセットを受信すると、前記端末が電力ランプアップを開始することと、
前記端末が前記第２信号サブセットを受信すると、前記端末が前記検出情報に基づいて前記下り制御チャネルを検出することとを含み、あるいは、
前記省電力信号は、少なくとも１つの信号サブセットを含み、ここで、前記検出情報を指示するための信号サブセットは、前記下り制御チャネルと周波数分割多重化され、又は、前記検出情報を指示するための信号サブセットは、前記下り制御チャネルよりも先に伝送される、請求項１〜３のいずれか１項に記載の方法。
【請求項８】
下り制御チャネル検出方法であって、
少なくとも下り制御チャネルの検出情報を指示するための省電力信号をネットワーク側機器から送信することを含み、
よって、端末が前記省電力信号を検出すると、前記検出情報に基づいて前記下り制御チャネルを検出する、下り制御チャネル検出方法。
【請求項９】
前記省電力信号は、データ到着も指示する、請求項８に記載の方法。
【請求項１０】
前記検出情報は、ＡＬ及び／又はｃａｎｄｉｄａｔｅ位置の少なくとも１つを含む、請求項８に記載の方法。
【請求項１１】
前記省電力信号は、第３シーケンスの関数である目標シーケンス、第１シーケンスの入力パラメータ及び第２シーケンスのサイクリックシフト値の少なくとも１つを含む、請求項８〜１０のいずれか１項に記載の方法。
【請求項１２】
前記第１シーケンスは、ＰＮシーケンス、直交シーケンス又はＣＡＺＡＣシーケンスを含み、及び／又は、前記第２シーケンスは、直交シーケンス、ＣＡＺＡＣシーケンス又はＰＮシーケンスを含み、及び／又は、前記第３シーケンスは、前記下り制御チャネルの復調基準信号ＤＭＲＳシーケンスを含む、請求項１１に記載の方法。
【請求項１３】
少なくとも下り制御チャネルの検出情報を指示するための省電力信号の検出を行う第１検出モジュールと、
前記省電力信号が検出されると、前記検出情報に基づいて前記下り制御チャネルを検出する第２検出モジュールとを含む、端末。
【請求項１４】
少なくとも下り制御チャネルの検出情報を指示するための省電力信号を送信する送信モジュールを含み、
よって、端末が前記省電力信号を検出すると、前記検出情報に基づいて前記下り制御チャネルを検出する、ネットワーク側機器。
【請求項１５】
コンピュータプログラムが格納されているコンピュータ読み取り可能な記憶媒体であって、
該プログラムがプロセッサによって実行されると、請求項１〜７のいずれか１項に記載の下り制御チャネル検出方法のステップが実現され、又は、該プログラムがプロセッサによって実行されると、請求項８〜１２のいずれか１項に記載の下り制御チャネル検出方法のステップが実現される、コンピュータ読み取り可能な記憶媒体。
【国際調査報告】
2021526761.tif 000012
2021526761.tif 000013
2021526761.tif 000014
2021526761.tif 000015